【手続補正書】
【提出日】平成15年8月18日(2003.8.18)
【手続補正１】
【補正対象書類名】明細書
【補正対象項目名】特許請求の範囲
【補正方法】変更
【補正の内容】
【特許請求の範囲】
【請求項１】
検索条件を入力し、
前記入力された検索条件に一致する電子メールを検索し、
前記検索された電子メールを出力することを特徴とする情報処理方法。
【請求項２】
前記検索条件は、送信者を特定する情報とすることを特徴とする請求項１に記載の情報処理方法。
【請求項３】
前記検索条件は、キーワードを特定する情報とすることを特徴とする請求項１に記載の情報処理方法。
【請求項４】
前記検索条件は、メールの長さを特定する情報とすることを特徴とする請求項１に記載の情報処理方法。
【請求項５】
前記検索条件は、日時を特定する情報とすることを特徴とする請求項１に記載の情報処理方法。
【請求項６】
前記検索条件は、複数の条件とすることを特徴とする請求項１に記載の情報処理方法。
【請求項７】
前記複数の検索条件に、優先順位を指定することを特徴とする請求項７に記載の情報処理方法。
【請求項８】
前記検索された電子メールを音声合成して出力することを特徴とする請求項１に記載の情報処理方法。
【請求項９】
前記検索条件は、プッシュホン信号により入力することを特徴とする請求項１に記載の情報処理方法。
【請求項１０】
前記検索条件は、入力した信号に対応して予め記憶されているものとすることを特徴とする請求項１に記載の情報処理方法。
【請求項１１】
前記検索条件は公衆回線を介して接続された電話により入力することを特徴とする請求項１に記載の情報処理方法。
【請求項１２】
前記検索条件は前記公衆回線を介して接続された情報端末より入力することを特徴とする請求項１に記載の情報処理方法。
【請求項１３】
検索条件を入力する入力手段と、
前記入力された検索条件に一致する電子メールを検索する検索手段と、
前記検索された電子メールを出力する出力手段とを有することを特徴とする情報処理装置。
【手続補正２】
【補正対象書類名】明細書
【補正対象項目名】０００６
【補正方法】変更
【補正の内容】
【０００６】
【課題を解決するための手段】
上記課題を解決するために、本発明は、検索条件を入力し、前記入力された検索条件に一致する電子メールを検索し、前記検索された電子メールを出力する情報処理方法及を提供する。


【手続補正３】
【補正対象書類名】明細書
【補正対象項目名】０００７
【補正方法】変更
【補正の内容】
【０００７】
上記従来の課題を解決するために、本発明は、検索条件を入力する入力手段と、前記入力された検索条件に一致する電子メールを検索する検索手段と、前記検索された電子メールを出力する出力手段とを有することを特徴とする情報処理装置を提供する。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００７０
【補正方法】変更
【補正の内容】
【００７０】
以上説明したように、本実施形態によれば、検索条件を入力し、前記入力された検索条件に一致する電子メールを検索し、前記検索された電子メールを公衆回線を介して出力することにより、ユーザが指定する条件に一致する電子メールのみを出力でき、効率的となる。


【手続補正１６】
【補正対象書類名】明細書
【補正対象項目名】００７１
【補正方法】変更
【補正の内容】
【００７１】
以上説明したように、本実施形態によれば、前記検索条件は、公衆回線を介して入力することにより、公衆回線を介して所望のものを特定できる。


【手続補正１７】
【補正対象書類名】明細書
【補正対象項目名】００７２
【補正方法】変更
【補正の内容】
【００７２】
以上説明したように、本実施形態によれば、前記検索条件は、送信者を特定する情報とすることにより、ユーザの所望する送信者のメールだけを選択的に得ることができる。


【手続補正１８】
【補正対象書類名】明細書
【補正対象項目名】００７３
【補正方法】変更
【補正の内容】
【００７３】
以上説明したように、本実施形態によれば、前記検索条件は、キーワードを特定する情報とすることにより、ユーザの所望するキーワードのメールだけを選択的に得ることができる。


【手続補正１９】
【補正対象書類名】明細書
【補正対象項目名】００７４
【補正方法】変更
【補正の内容】
【００７４】
以上説明したように、本実施形態によれば、前記検索条件は、メールの長さを特定する情報とすることにより、ユーザの所望する長さのメールだけを選択的に得ることができる。


【手続補正２０】
【補正対象書類名】明細書
【補正対象項目名】００７５
【補正方法】変更
【補正の内容】
【００７５】
以上説明したように、本実施形態によれば、前記検索条件は、日時を特定する情報とすることにより、ユーザの所望する日時のメールだけを選択的に得ることができる。


【手続補正２１】
【補正対象書類名】明細書
【補正対象項目名】００７６
【補正方法】変更
【補正の内容】
【００７６】
以上説明したように、本実施形態によれば、前記検索条件は、複数の条件とすることにより、ユーザが所望する条件のメールをより確実に絞り込むことができる。


【手続補正２２】
【補正対象書類名】明細書
【補正対象項目名】００７７
【補正方法】変更
【補正の内容】
【００７７】
以上説明したように、本実施形態によれば、前記複数の検索条件に、優先順位を指定することにより、ユーザが所望する条件のメールをより確実に絞り込むことができる。


【手続補正２３】
【補正対象書類名】明細書
【補正対象項目名】００７８
【補正方法】変更
【補正の内容】
【００７８】
以上説明したように、本実施形態によれば、前記検索された電子メールを音声合成して出力することにより、ユーザが所望するメッセージを効率よく聞き取ることができる。


【手続補正２４】
【補正対象書類名】明細書
【補正対象項目名】００７９
【補正方法】変更
【補正の内容】
【００７９】
以上説明したように、本実施形態によれば、前記検索条件は、プッシュホン信号により入力するプッシュホン信号を入力することさえできれば、どこでも所望のメールを効率よく得ることができる。


【手続補正２５】
【補正対象書類名】明細書
【補正対象項目名】００８０
【補正方法】変更
【補正の内容】
【００８０】
以上説明したように、本実施形態によれば、前記検索条件は、入力した信号に対応して予め記憶されているものとすることにより、条件の指定操作が容易となる。


【手続補正２６】
【補正対象書類名】明細書
【補正対象項目名】００８１
【補正方法】変更
【補正の内容】
【００８１】
以上説明したように、本実施形態によれば、前記検索条件は公衆回線を介して接続された電話により入力することにより、電話がつながるところならどこでも所望のメールを効率よく得ることができる。


【手続補正２７】
【補正対象書類名】明細書
【補正対象項目名】００８２
【補正方法】変更
【補正の内容】
【００８２】
以上説明したように、本実施形態によれば、前記検索条件は前記公衆回線を介して接続された情報端末より入力することにより、情報端末がつながるところならどこでも所望のメールを効率よく得ることができる。
【発明の効果】
以上説明したように、本発明によれば、ユーザが指定する条件に一致する電子メールを確認することができる。